(57)【要約】      （修正有）【課題】上下が分割し複数のホイールを備える裁断機を提供する。【解決手段】第一座体１に内設する収容空間には往復移動して外部に延伸してダンボール紙を裁断するためのカッターホイール１２を配置し、第一座体の一方側には第二座体２を配置し、第二座体と第一座体との間にはカッターホイールでダンボール紙を裁断するための通路２１を形成し、第二座体上には二つのブラシホイール２３を第一座体方向に移動させるための連動機構２２を設け、連動機構にはブラシホイールを軸着させるための一つ或いは一つ以上のホイールアーム２２１を設け、且つ通路から離れたホイールアームの一方側には従動するホイールアームを往復移動させるための駆動装置２２２を設け、二つのブラシホイール間にはカッターホイールを収めるための間隔空間２４を形成し、カッターホイール両側のダンボール紙は丁度二つのブラシホイールにそれぞれ圧せられるため、ダンボール紙のそり返りを防ぐ。【選択図】図２
0003164771.tif 000002
【実用新案登録請求の範囲】
【請求項１】
ダンボール紙に対して裁断工程を行う上下が分割し複数のホイールを備える裁断機は、第一座体及び第二座体とから構成され、
前記第一座体に内設する収容空間には往復移動して外部に延伸してダンボール紙を裁断するためのカッターホイールを配置し、
前記第二座体は第一座体の一方側に配置し、第二座体と第一座体との間にはカッターホイールでダンボール紙を裁断するための通路を形成し、第二座体上には二つのブラシホイールを第一座体方向に移動させダンボール紙を圧してそり返りを防ぐ連動機構を設け、前記連動機構にはブラシホイールを軸着させるための一つ或いは一つ以上のホイールアームを設け、且つ通路から離れたホイールアームの一方側には従動するホイールアームを往復移動させるための駆動装置を設け、二つのブラシホイール間には第一座体が通路に延伸するカッターホイールを収めて、それを二つのブラシホイールに接触させないようにする間隔空間を形成することを特徴とする上下が分割し複数のホイールを備える裁断機。
【請求項２】
前記第一座体において第二座体に近い収容空間の通路の一方側にはダンボール紙を支持する紙受け板を配置し、紙受け板上には収容空間からカッターホイールを通路に延伸させるためのカッター溝を備えることを特徴とする請求項１記載の上下が分割し複数のホイールを備える裁断機。
【請求項３】
前記ブラシホイールは円周上に高密度で靭性を備える複数のブラシ毛を植毛することを特徴とする請求項１記載の上下が分割し複数のホイールを備える裁断機。
【請求項４】
前記第二座体上の連動機構には複数のホイールアームを設け、前記ホイールアームにはＬ型となる基本取付台を配置し、前記基本取付台の一方側には折れ曲がった定位部を備え、前記定位部には第二座体に枢設して往復回転移動を行わせるための第一軸部を配置し、前記基本取付台の定位部に対する他の一方側には曲がった方向に伸びる折り曲げ部を設け、ホイールアームにおいて定位部から離れる折り曲げ部の他方側にはそれぞれ第二軸部及び連接部を設け、ホイールアームの一つの第二軸部は駆動装置に軸着し、並びに複数のホイールアーム間には二端がそれぞれ連接部に連接する連動棒を配置し、ホイールアームの定位部に近い折り曲げ部の一方側にはブラシホイールを枢設することを特徴とする請求項１記載の上下が分割し複数のホイールを備える裁断機。
【請求項５】
ホイールアームの一つに近い前記駆動装置の一方側には第二軸部に軸着する伸縮棒を配置し、駆動装置の他の一方側には第二座体に軸着して往復回転動作させるための軸着部を配置することを特徴とする請求項４記載の上下が分割し複数のホイールを備える裁断機。
【請求項６】
前記第二座体の連動機構にホイールアームを配置し、通路から離れるホイールアームの一方側には駆動装置を連接し、前記駆動装置の一方側にはホイールアームを連接してそれを移動させる伸縮棒を配置し、ホイールアーム上には二つのブラシホイールを備えさせることを特徴とする請求項１記載の上下が分割し複数のホイールを備える裁断機。
【考案の詳細な説明】
【技術分野】
【０００１】
本考案は上下が分割し複数のホイールを備える裁断機に関し、特に連動機構２２の一つ或いは一つ以上のホイールアーム２２１に二つのブラシホイール２３を設けることにより、二つのブラシホイール間に位置する間隔空間内においてカッターホイールがダンボール紙を裁断するため、ダンボール紙を確実に裁断し、二つのブラシホイールに圧せられてダンボール紙がキズ付くのを防止する。
【背景技術】
【０００２】
人々の生活レベルが高まり続け、それに伴い地球環境意識が頭をもたげる中、製品を包装する場合にはやはり紙類を用いることが益々一般的な風潮となってきている。しかし、各種紙類の中でもダンボールシートは、印刷が便利で丈夫である特徴の他、シート内部がウェーブ形状であるため弾力性及び防振機能を有する。よって、一般のシートには及ばない機能がある故に、ダンボールシートは、箱、ギフトボックス等に幅広く使用され、これらで包装した物品を保護し衝撃を軽減し損傷率を抑える効果を有し、在庫や運送にも便利である。
【０００３】
一般にダンボールシートを製作するには、ダンボールを素材として、紙のセット、熱を与える、ダンボールの成形、のりづけ、冷却、罫線つけ、エッジの修正、裁断、及び積載等の工程を通して連続的な加工を行う技術を使う。市場のダンボールシートは使用の要望に応じて異なる寸法を有し、メーカーが製造する場合は比較的大きな寸法のダンボールシートを作り、ユーザーの希望に基づいて所定の寸法に裁断する。図４に示す通り、伝統的な裁断機は底座ＡにカッターホイールＡ１を設け、上部体Ｂと底座Ａの間に通路Ｂ１を形成し、前記通路Ｂ１の一方側にダンボール紙Ｃを進入させるための入口Ｂ１１を形成し、上部体Ｂは更に、カッターホイールＡ１近くの入口Ｂ１１の一方側にブラシホイールＢ２を設け、前記ブラシホイールＢ２を通してダンボールを圧した後、カッターホイールＡ１で裁断する。    
【考案の概要】
【考案が解決しようとする課題】
【０００４】
前記した公知の裁断機は実際に使用する場合、改善すべき多くの欠点が已然として残り、それは次に示す通りである。  
（１）ダンボール紙はブラシホイールＢ２に圧せられた後、カッターホイールＡ１によって裁断されるが、カッターホイールＡ１がダンボール紙Ｃに対して上方向の外力を加えるため、ダンボール紙Ｃ接近箇所の上方向へのそり返りが起き、ダンボール紙Ｃはそり返りによってカッターホイールＡ１の上部を越え、ダンボール紙Ｃの裁断が不完全となる故に連接箇所が残る問題が発生する。このため、残った連接箇所を人工で検査し更に裁断作業を行わなくてはならず、コスト向上をもたらす欠点となっている。
（２）ダンボール紙ＣはカッターホイールＡ１が加える外力を受けて上方向にそり返るが、入口Ｂ１１箇所に近いダンボール紙Ｃの一端はブラシホイールＢ２の圧力を受け、ブラシホイールＢ２はそり返ったダンボール紙Ｃを圧するため、ダンボール紙Ｃの表面には折れ曲がりや窪んだキズがついて裁断完了のダンボール紙Ｃは不良品となる故、コストの大幅な向上をもたらす。
【０００５】
よって、本業界に従事する関連メーカーにとり、いかに公知の裁断機の問題及び欠点を解決するかを改善すべき方向として研究開発が行われている。
【課題を解決するための手段】
【０００６】
本考案者は前述の問題点と欠点に鑑み、関連資料を収集し、多方面に渡る評価及び配慮を加え、並びに、本業界に従事し積み重ねてきた多年の経験に基づき絶え間なき試作及び修正を行い、本考案の上下が分割し複数のホイールを備える裁断機を生み出した。
【０００７】
本考案の主な目的は、前記第二座体の二つのブラシホイール間に間隔空間を形成し、カッターホイールによって第一座体と第二座体との間の通路箇所でダンボール紙を裁断する時、カッターホイールは丁度間隔空間内に位置され、ダンボール紙がカッターホイールで裁断される箇所の両側は丁度二つのブラシホイールがそれぞれ圧し、カッターホイールがダンボール紙に対して加える第二座体方向の外力によってダンボール紙が押されてそり返ることなく、ダンボール紙は確実に完全な状態でカッターホイールに裁断され、しかも二つのブラシホイールもまたダンボール紙を圧してその表面を折り曲げたり窪みキズをつけることもないため、後続して人工的な裁断を補う工程のコストを節約し、裁断における歩留まりを高める目的を達成することにある。
【０００８】
本考案の次の目的は、第二座体の二つのブラシホイールの間にカッターホイールを収めるための間隔空間を形成し、カッターホイールと二つのブラシホイールによるダンボール紙裁断作業を行う場合、カッターホイールは二つのブラシホイールに接触していないため、二つのブラシホイールが長時間カッターホイールによる接触、磨耗を受けず、機械を停止しての部品交換やメンテナンスを少なくし、生産コストの低下と生産速度を高める目的を達成することにある。
【０００９】
本考案の別の目的は、前記の二つのブラシホイールを連動機構の一つ或いは一つ以上のホイールアーム上に取り付け、駆動装置が二つのブラシホイールを同時に移動させるとブラシホイールが同一平面においてダンボール紙を圧するため、ブラシホイールによってダンボール紙が圧せられてキズとなるのを防止し、裁断工程による歩留まりを高める目的を達成することにある。
【００１０】
本考案のもう一つの目的は、前記連動機構にＬ型となる二つのホイールアームを設け、前記ホイールアームはそれぞれ、一方側の定位部を第二座体上に軸着し、他の一方側は連動棒を使って相互に連接させ、駆動装置によってその内の一つのホイールアームをプッシュしたり引っ張る時、二つのホイールアームが回転動作して従動する二つのブラシホイールを通路に進入させ、移動である故に位置移動に必要な高さが少なく、高さ及び体積を縮小させる目的を達成することにある。
【考案の効果】
【００１１】
本考案の上下が分割し複数のホイールを備える裁断機は次のような効果を有する。
（１）前記第二座体２の二つのブラシホイール２３間に間隔空間２４を形成し、カッターホイール１２及び二つのブラシホイール２３を通路２１に移動させてダンボール紙３を裁断する時、カッターホイール１２がダンボール紙３に対して第二座体２方向の外力を加えるなら、カッターホイール１２によって裁断される箇所の両側のダンボール紙３は丁度二つのブラシホイール２３にそれぞれ圧せられ、ダンボール紙３は第一座体１の紙受け板１１に依然として平たく載せられる故に、ダンボール紙３のそり返りを防げ、ダンボール紙３は確実に裁断されるため、後続して人工的な裁断を補う工程のコストを節約する。
（２）前記ダンボール紙３がカッターホイール１２によって裁断される箇所の両側はそれぞれ二つのブラシホイール２３によって圧せられるため、ダンボール紙３のそり返りを防ぎ、二つのブラシホイール２３の位置が丁度ダンボール紙３の表面を圧するために、ダンボール紙３がそり返らない状態において二つのブラシホイール２３がダンボール紙３を圧してその表面を折り曲げたり窪んだキズを付けることがないため、裁断工程の歩留まりを高める。
（３）前記第二座体２の二つのブラシホイール２３の間に間隔空間２４を形成し、カッターホイール１２と二つのブラシホイール２３を通路２１に移動してダンボール紙３の裁断作業を行う場合、カッターホイール１２は通路２１内の一部が丁度間隔空間２４内に位置する箇所に延伸するが、カッターホイール１２と二つのブラシホイール２３とは接触しないため、カッターホイール１２が長時間におよび二つのブラシホイール２３に接触して磨耗するのを避けられる。よって、ブラシホイール２３の部品交換やメンテナンスにかかるコスト及び時間を節約し、生産コストを抑え生産ラインのストップやメンテナンス時間を減らす目的を達成する。
（４）連動機構２２の駆動装置２２２がホイールアーム２２１を従動することにより、ホイールアーム２２１上の二つのブラシホイール２３もまた同時に同一平面上を移動してダンボール紙３を圧するため、二つのブラシホイール２３の高低の違いによって圧するダンボール紙３をキズ付けてしまうのを防ぎ、裁断工程による歩留まりを高める目的を達成する。
（５）前記連動機構にＬ型の二つのホイールアーム２２１を配置し、前記の二つのホイールアーム２２１は一方側の定位部２２１２を第二座体２に枢設し、他の一方側には相互に連接する連動棒２２３を配置し、駆動装置２２２がその内の一つのホイールアーム２２１をプッシュしたり引っ張る。二つのホイールアーム２２１が回転動作によるために移動する総高度は減少し、これによって第二座体２の全体高さを減らすため、本体の体積を縮小させる目的を達成する。
【図面の簡単な説明】
【００１２】
【図１】本考案の実施例に関するシート裁断前の側面図である。
【図２】本考案の実施例に関するシート裁断中の側面図である。
【図３】本考案のもう一つの実施例に関するシート裁断前の側面図である。
【図４】公知の裁断機の側面図である。
【考案を実施するための形態】
【００１３】
前述の目的と効果を達成することを目的に本考案の採用した技術手段とその構造について完全に理解して戴くために、次に、図面を組み合わせた実施例によってその特徴と機能を詳細説明する。
【実施例】
【００１４】
図１及び図２に、本考案の実施例に関するシート裁断前及び裁断中の側面図を示す。図中に示される通り、上下が分割し複数のホイールを備える裁断機は第一座体１と第二座体２とから構成される。
【００１５】
前記第一座体１には収容空間１０を内設し、前記収容空間１０の一方側にはダンボール紙３を支持するための紙受け板１１を設け、前記紙受け板１１上には収容空間１０が外部と繋がるカッター溝１１１を設け、しかも収容空間１０には往復移動しカッター溝１１１から外部に延伸してダンボール紙３を裁断するカッターホイール１２を内設する。
【００１６】
前記第二座体２は紙受け板１１備える第一座体１の一方側に配置し、第二座体２と第一座体１の間にはダンボール紙３を通過させるための通路２１を形成し、前記第二座体２上には二つのブラシホイール２３を第一座体１方向に移動させダンボール紙３を圧してそれがそり返るのを防止する連動機構２２を設け、連動機構２２にはブラシホイール２３を軸着させる一つ或いは一つ以上のホイールアーム２２１を設け、且つ通路２１から離れるホイールアーム２２１の一方側に従動するホイールアーム２２１を移動させる駆動装置２２２を設け、ブラシホイール２３は円周上に高密度で靭性を備える複数のブラシ毛を植毛し、二つのブラシホイール２３の間には、第一座体１のカッターホイール１２を通路２１まで延伸させた時にカッターホイール１２を収めて、それをブラシホイール２３に接触させないようにする間隔空間２４を形成する。
【００１７】
図１及び図２に本考案の実施例に関するシート裁断前及び裁断中の側面図を示す。図に示した通り、第二座体２上の連動機構２２には複数のホイールアーム２２１を設け、前記ホイールアーム２２１にはＬ型となる基本取付台２２１１を設け、前記基本取付台２２１１の一方側には折れ曲がった定位部２２１２を備え、前記定位部２２１２には第二座体２に軸着して往復移動を行わせるための第一軸部２２１３を設け、前記基本取付台２２１１の定位部２２１２に対する他の一方側には曲がった方向に伸びる折り曲げ部２２１４を設け、ホイールアーム２２１において定位部２２１２から離れる折り曲げ部２２１４の他方側にはそれぞれ第二軸部２２１５及び連接部２２１６を設け、ホイールアーム２２１の一つに近い駆動装置２２２の一方側には第二軸部２２１５に軸着する伸縮棒２２２１を配置し、駆動装置２２２の他の一方側には第二座体２に軸着して往復運動させるための軸着部２２２２を配置し、複数のホイールアーム２２１の間には二端がそれぞれ連接部２２１６に連接する連動棒２２３を配置し、ホイールアーム２２１の定位部２２１２に近い折り曲げ部２２１４の一方側にブラシホイール２３を枢設する。
【００１８】
ダンボール紙３を第一座体１と第二座体２の間の通路２１に挿入する時、第一座体１の収容空間１０内のカッターホイール１２は、カッター溝１１１を使って紙受け板１１を通過して通路２１内に延伸し、第二座体２は駆動装置２２２によって伸縮棒２２２１を延伸させて、第二軸部２２１５を備える相隣するホイールアーム２２１の一方側をプッシュし、ホイールアーム２２１は定位部２２１２の第一軸部２２１３を円心として回転動作し、折り曲げ部２２１４のブラシホイール２３を第一座体１方向に移動させ、伸縮棒２２２１がホイールアーム２２１に従動して移動する時、駆動装置２２２は伸縮棒２２２１の他方側の軸着部２２２２によって動作し、他のホイールアーム２２１は連動棒２２３に従動して同時に移動し、これによりダンボール紙３は複数のブラシホイール２３の圧力を受けて第一座体１の紙受け板１１上に平たく載せられ、ダンボール紙３が移動するのを受けて複数のブラシホイール２３も回転し、カッターホイール１２がダンボール紙３を裁断し第二座体２方向の外力を起こした時、カッターホイール１２の両側のダンボール紙３は何れもブラシホイール２３の圧力を受けるため力によって第二座体２方向にそり返ることもなく、ダンボール紙３がカッターホイール１２を越えてそり返ることを防ぐ故にダンボール紙３が完全に裁断されない状況を避けられ、後続する人工による再度裁断工程を省略することができる。また、ダンボール紙３のそり返りがないために、ブラシホイール２３の圧迫を受けて生じる折れ曲がりや窪んだキズを防ぎ、工程を減少しコストを節約し歩留まりを向上させる目的を達成する。
【００１９】
更に、裁断完了時には、カッターホイール１２は通路２１から第一座体１の収容空間１０内に戻り、第二座体２の連動機構２２は駆動装置２２２の伸縮棒２２２１を元の位置に戻ることにより、従動する複数のホイールアーム２２１もまた逆方向に位置移動して元の位置に戻る。
【００２０】
前記第一座体１は下方に配置し、第一座体１の上方には第二座体２を配置するが、第一座体１と第二座体２を上下逆に配置することも可能であり、ダンボール紙３を圧して第一座体１の紙受け板１１に密着させ、ダンボール紙３がカッターホイール１２によって安定して確実に裁断される機能を有すればよい。よって、前述実施例は本考案の実用新案登録請求の範囲を制限するものとはならず、その他の修飾及び同等効果を有する構造の変化は全て本考案の実用新案登録請求の範囲内に含まれることをここに明記する。
【００２１】
図３には本考案の別の実施例に関するシート裁断前の側面図を示す。図に示す通り、第二座体２の連動機構２２にはホイールアーム２２１を配置し、通路２１から離れたホイールアーム２２１の一方側には駆動装置２２２の伸縮棒２２２１を連接し、並びに、ホイールアーム２２１上には二つのブラシホイール２３を配置し、これによって連動機構２２に同等効果下の構造の簡略化によるコストダウンを実現させる。しかし、本考案の実施例はＬ型の二つのホイールアーム２２１を配置し、二つのホイールアーム２２１は一方側の定位部２２１２を第二座体２に枢設し、更にホイールアーム２２１の他の一方側に相互に連接する連動棒２２３を配置し、駆動装置２２２によってその内の一つのホイールアーム２２１をプッシュしたり引っ張り、二つのホイールアーム２２１は回転動作方式で移動する故にその移動経路の高さを減らし、よって第二座体２の全体の高さを低くし、機械本体の体積を縮小する目的を達成する。
【００２２】
前述の駆動装置２２２は気圧シリンダー、油圧シリンダーとし、伸縮することにより、それに従動する一つ或いは一つ以上のホイールアーム２２１を移動し、前記ホイールアーム２２１に配置する各ブラシホイール２３を第一座体１方向に移動させてダンボール紙３を押さえる機能を有するだけでよい。よって、前述実施例は本考案の実用新案登録請求の範囲を制限するものとはならず、その他の修飾及び同等効果を有する構造の変化は全て本考案の実用新案登録請求の範囲内に含まれることをここに明記する。
【００２３】
前記本考案の上下が分割し複数のホイールを備える裁断機を実際に使用する場合には次のような長所を有する。
（１）前記第二座体２の二つのブラシホイール２３間に間隔空間２４を形成し、カッターホイール１２及び二つのブラシホイール２３を通路２１に移動させてダンボール紙３を裁断する時、カッターホイール１２がダンボール紙３に対して第二座体２方向の外力を加えるなら、カッターホイール１２によって裁断される箇所の両側のダンボール紙３は丁度二つのブラシホイール２３にそれぞれ圧せられ、ダンボール紙３は第一座体１の紙受け板１１に依然として平たく載せられる故に、ダンボール紙３のそり返りを防げ、ダンボール紙３は確実に裁断されるため、後続して人工的な裁断を補う工程のコストを節約する。
（２）前記ダンボール紙３がカッターホイール１２によって裁断される箇所の両側はそれぞれ二つのブラシホイール２３によって圧せられるため、ダンボール紙３のそり返りを防ぎ、二つのブラシホイール２３の位置が丁度ダンボール紙３の表面を圧するために、ダンボール紙３がそり返らない状態において二つのブラシホイール２３がダンボール紙３を圧してその表面を折り曲げたり窪んだキズを付けることがないため、裁断工程の歩留まりを高める。
（３）前記第二座体２の二つのブラシホイール２３の間に間隔空間２４を形成し、カッターホイール１２と二つのブラシホイール２３を通路２１に移動してダンボール紙３の裁断作業を行う場合、カッターホイール１２は通路２１内の一部が丁度間隔空間２４内に位置する箇所に延伸するが、カッターホイール１２と二つのブラシホイール２３とは接触しないため、カッターホイール１２が長時間におよび二つのブラシホイール２３に接触して磨耗するのを避けられる。よって、ブラシホイール２３の部品交換やメンテナンスにかかるコスト及び時間を節約し、生産コストを抑え生産ラインのストップやメンテナンス時間を減らす目的を達成する。
（４）連動機構２２の駆動装置２２２がホイールアーム２２１を従動することにより、ホイールアーム２２１上の二つのブラシホイール２３もまた同時に同一平面上を移動してダンボール紙３を圧するため、二つのブラシホイール２３の高低の違いによって圧するダンボール紙３をキズ付けてしまうのを防ぎ、裁断工程による歩留まりを高める目的を達成する。
（５）前記連動機構にＬ型の二つのホイールアーム２２１を配置し、前記の二つのホイールアーム２２１は一方側の定位部２２１２を第二座体２に枢設し、他の一方側には相互に連接する連動棒２２３を配置し、駆動装置２２２がその内の一つのホイールアーム２２１をプッシュしたり引っ張る。二つのホイールアーム２２１が回転動作によるために移動する総高度は減少し、これによって第二座体２の全体高さを減らすため、本体の体積を縮小させる目的を達成する。
【００２４】
本考案の上下が分割し複数のホイールを備える裁断機は主に、第一座体１にはカッターホイール１２を備え、前記第一座体１の一方側には第二座体２を配置し、第二座体２と第一座体１との間には通路２１を形成し、前記第二座体２上には連動機構２２を設け、前記連動機構２２において一つ或いは一つ以上のホイールアーム２２１は駆動装置２２２に従動して移動し、前記ホイールアーム２２１上には中間に間隔空間２４を備える二つのブラシホイール２３を配置し、二つのブラシホイール２３はカッターホイール１２の両側のダンボール紙３を圧してそり返りを防ぎ、確実にダンボール紙３を裁断することにより後続する人工裁断のコストを節約し、並びに、二つのブラシホイール２３がダンボール紙３を圧した時にキズを付けるのを防止するため、工程の歩留まりを高めることを実用新案登録請求の範囲における主な保護の重点とする。但し、前記は本考案の実施例を述べたに過ぎず、本考案の実用新案登録請求の範囲を制限するものではない故、本考案の明細書及び図面の内容に基づく簡易の修飾及び同等効果を有する構造の変化は全て本考案の実用新案登録請求の範囲内に含まれることをここに明記する。
【００２５】
前述した本考案の実用新案登録請求の範囲を使用する場合、確実にその効果及び目的を達成し、本考案が実にその実用性に優れ、実用新案の出願要件に符合することが明らかである。  
【符号の説明】
【００２６】
１    第一座体
１０    収容空間
１１    紙受け板
１１１    カッター溝
１２    カッターホイール
２      第二座体
２１      通路
２２    連動機構
２２１      ホイールアーム
２２１１    基本取付台
２２１２    定位部
２２１３    第一軸部
２２１４  折り曲げ部
２２１５  第二軸部
２２１６  連接部
２２２    駆動装置
２２２１    伸縮棒
２２２２  軸着部
２２３    連動棒
２３    ブラシホイール
２４    間隔空間
Ａ    底座
Ａ１    カッターホイール
Ｂ    上部体
Ｂ１    通路
Ｂ２    ブラシホイール
Ｂ１１    入口
Ｃ    ダンボール紙
【図１】
0003164771.tif 000003
【図２】
0003164771.tif 000004
【図３】
0003164771.tif 000005
【図４】
0003164771.tif 000006